(57)【要約】【課題】  被検者眼と装置の位置合わせが容易で検査をスムーズに行える眼科装置を提供する。【解決手段】  前眼部を観察する観察光学系と眼を検査する検査光学系が配置された検査ユニットを眼に対して上下移動させるＹ駆動手段と、額当てと、上下に移動可能に配置された顎受けと、を備える眼科装置は、検査光学系の光軸と略同じ高さで光軸を挟んだ左右に配置された視標部と、被検者が額当てに額を当てた状態で、眼が視標を視認できる上下範囲を観察光学系との関係で定められた範囲に制限し、左右範囲を所定の眼幅を持つ眼が視標を視認可能にする形状を持つ制限部材と、Ｙ駆動手段を制御して検査ユニットを所定の高さに位置させる制御手段と、被検者が額当てに額を当て、被検者自身が視標を視認できるよう眼の高さ位置に調整した後に、顎受けを被検者の顎位置まで上昇させる顎受け移動手段と、を備える。【選択図】      図１
2010200905.tif 000002
【特許請求の範囲】
【請求項１】
被検者の前眼部を観察する観察光学系及び眼を検査する検査光学系が配置された検査ユニットを被検者眼に対して上下方向に移動させるＹ方向駆動手段を含む移動手段と、所定位置に固定された額当て部材と、上下方向に移動可能に配置された顎受けと、を備える眼科装置において、
被検者眼に視認させる視標を持つ視標部であって、前記検査ユニットの被検者側で前記検査光学系の光軸と略同じ高さで、且つ検査光軸を挟んだ左右両側の少なくとも一方に配置された視標部と、
前記検査ユニットが前後方向の所定位置に置かれ、且つ被検者が前記額当て部材に額を当てた状態にあるときに、被検者眼が前記視標を視認できる上下方向の範囲を前記観察光学系による観察範囲との関係で定められた所定範囲に制限する形状を持つと共に、左右方向の範囲を所定の眼幅範囲を持つ被検者眼が前記視標を視認可能にする形状を持つ制限部材であって、前記視標部に配置された制限部材と、
所定の初期化信号の入力に基づいて前記Ｙ方向駆動手段の駆動を制御し、前記検査ユニットを所定の高さに位置させる駆動制御手段と、
被検者が額当て部材に額を当て、前記視標部の視標を視認できるように被検者自身が眼の高さ位置を調整した後に、下方に下げられていた前記顎受けを被検者の顎の位置まで上昇させる顎受け移動手段と、
を備えることを特徴とする眼科装置。
【請求項２】
請求項１の眼科装置において、前記制限部材に制限される上下方向の所定範囲は、前記Ｙ方向駆動手段により移動される前記検査ユニットの可動範囲に含まれていることを特徴とする眼科装置。
【請求項３】
請求項１又は２の眼科装置において、前記顎受け移動手段は、前記顎受けを駆動源により上下方向に移動させる駆動機構と、
前記初期化信号の入力に基づいて前記駆動源の駆動を制御して前記顎受けを下方の退避位置に位置させると共に、前記顎受けを移動させるための移動信号の入力に基づいて前記駆動源の駆動を制御して顎受けを上昇させる顎受け制御手段と、
を備えることを特徴とする眼科装置。
【請求項４】
請求項３の眼科装置は、前記顎受けに配置されたセンサであって、顎受けの上昇により被検者の顎との接触又は近接を検知するセンサを備え、
前記顎受け制御手段は、前記顎受けを移動させる信号入力に基づいて前記駆動源の駆動を制御して顎受けを上昇させた後、前記センサの検知信号に基づいて前記顎受けの上昇を停止させることを特徴とする眼科装置。
【請求項５】
請求項４の眼科装置において、
前記視標部が持つ視標として配置された可視光を発する光源と、
前記光源の発光を制御する光源制御手段であって、前記初期化信号の入力に基づいて前記光源を点灯し、前記センサの検知信号に基づくか、前記顎受け移動手段からの移動信号の入力に基づくか、又は眼と前記検査ユニットとのアライメント開始の所定の信号入力に基づくか、何れかの信号入力に基づいて前記光源を消灯する光源制御手段と、
を備えることを特徴とする眼科装置。
【請求項６】
請求項１又は２の眼科装置において、
前記視標部が持つ視標として配置された可視光を発する光源と、
前記光源の発光を制御する光源制御手段であって、前記初期化信号の入力に基づいて前記光源を点灯し、前記顎受け移動手段からの移動信号の入力又はアライメント開始の所定の信号入力に基づいて前記光源を消灯する光源制御手段と、
を備えることを特徴とする眼科装置。
【発明の詳細な説明】
【技術分野】
【０００１】
本発明は、被検者眼と装置とを位置合わせした後、被検者眼の検査（眼の特性の測定、撮影等を含む）を行う眼科装置に関する。
【背景技術】
【０００２】
眼屈折力測定装置、非接触式眼圧計及び眼底カメラ等の眼科装置では、被検者の額が額当て部材に当接され、上下移動可能に構成された顎受けにより被検者の顎が固定された後、被検者眼に対して検査光学系が配置された検査ユニットの位置合わせが行われる（例えば、特許文献１、２参照）。検者は、ディスプレイに表示される前眼部の拡大像を観察し、ジョイスティック等の操作により、検査ユニットを左右方向、上下方向及び前後方向に移動し、被検者眼と検査ユニットとの位置合わせを行う。
【先行技術文献】
【特許文献】
【０００３】
【特許文献１】特開平１１−２７６４３６号公報
【特許文献２】特開２００４−１７４１５５号公報
【発明の概要】
【発明が解決しようとする課題】
【０００４】
被検者の顎から眼の高さ位置は被検者に応じて大きく異なるため、検者は被検者毎に被検者眼の高さを確認し、顎受けの高さを調整する。新たな被検者眼を検査するに当り、被検者眼の高さを確認せずに、顎受けの高さが前の被検者が使用した高さ又は適当な高さのままであると、検者が検査ユニットを上方向又は下方向に移動させた際に検査ユニットが上下移動可能な範囲の限界に達してしまうことがある。この場合には改めて顎受けの高さ調整を行う必要が生じ、検査に手間取る。検査ユニットの上下移動可能な範囲を大きくすると、装置が大型化し、コスト的にも不利となる。
【０００５】
また、検者は観察光学系により撮影された前眼部像がディスプレイに表示されるように検査ユニットを移動させるが、被検者眼と検査ユニットとの位置関係を確認していないと、検査ユニットを上方向又は下方向の何れに移動させたら良いか迷い、検査に不慣れな検者では位置合わせに手間取ることが多い。特に、眼科装置が暗室で使用される場合、検者が被検者眼の高さを確認することは容易でない。
【０００６】
本発明は、上記従来技術の問題点に鑑み、被検者眼と装置との位置合わせを容易に行え、検査をスムーズに行える眼科装置を提供することを技術課題とする。
【課題を解決するための手段】
【０００７】
上記課題を解決するために、本発明は以下のような構成を備えることを特徴とする。
（１）  被検者の前眼部を観察する観察光学系及び眼を検査する検査光学系が配置された検査ユニットを被検者眼に対して上下方向に移動させるＹ方向駆動手段を含む移動手段と、所定位置に固定された額当て部材と、上下方向に移動可能に配置された顎受けと、を備える眼科装置において、被検者眼に視認させる視標を持つ視標部であって、前記検査ユニットの被検者側で前記検査光学系の光軸と略同じ高さで、且つ検査光軸を挟んだ左右両側の少なくとも一方に配置された視標部と、前記検査ユニットが前後方向の所定位置に置かれ、且つ被検者が前記額当て部材に額を当てた状態にあるときに、被検者眼が前記視標を視認できる上下方向の範囲を前記観察光学系による観察範囲との関係で定められた所定範囲に制限する形状を持つと共に、左右方向の範囲を所定の眼幅範囲を持つ被検者眼が前記視標を視認可能にする形状を持つ制限部材であって、前記視標部に配置された制限部材と、所定の初期化信号の入力に基づいて前記Ｙ方向駆動手段の駆動を制御し、前記検査ユニットを所定の高さに位置させる駆動制御手段と、被検者が額当て部材に額を当て、前記視標部の視標を視認できるように被検者自身が眼の高さ位置を調整した後に、下方に下げられていた前記顎受けを被検者の顎の位置まで上昇させる顎受け移動手段と、を備えることを特徴とする。
（２）  （１）の眼科装置において、前記制限部材に制限される上下方向の所定範囲は、前記Ｙ方向駆動手段により移動される前記検査ユニットの可動範囲に含まれていることを特徴とする。
（３）  （１）又は（２）の眼科装置において、前記顎受け移動手段は、前記顎受けを駆動源により上下方向に移動させる駆動機構と、前記初期化信号の入力に基づいて前記駆動源の駆動を制御して前記顎受けを下方の退避位置に位置させると共に、前記顎受けを移動させるための移動信号の入力に基づいて前記駆動源の駆動を制御して顎受けを上昇させる顎受け制御手段と、を備えることを特徴とする。
（４）  （３）の眼科装置は、前記顎受けに配置されたセンサであって、顎受けの上昇により被検者の顎との接触又は近接を検知するセンサを備え、前記顎受け制御手段は、前記顎受けを移動させる信号入力に基づいて前記駆動源の駆動を制御して顎受けを上昇させた後、前記センサの検知信号に基づいて前記顎受けの上昇を停止させることを特徴とする。
（５）  （４）の眼科装置において、前記視標部が持つ視標として配置された可視光を発する光源と、前記光源の発光を制御する光源制御手段であって、前記初期化信号の入力に基づいて前記光源を点灯し、前記センサの検知信号に基づくか、前記顎受け移動手段からの移動信号の入力に基づくか、又は眼と前記検査ユニットとのアライメント開始の所定の信号入力に基づくか、何れかの信号入力に基づいて前記光源を消灯する光源制御手段と、を備えることを特徴とする。
（６）  （１）又は（２）の眼科装置において、前記視標部が持つ視標として配置された可視光を発する光源と、前記光源の発光を制御する光源制御手段であって、前記初期化信号の入力に基づいて前記光源を点灯し、前記顎受け移動手段からの移動信号の入力又はアライメント開始の所定の信号入力に基づいて前記光源を消灯する光源制御手段と、を備えることを特徴とする。
【発明の効果】
【０００８】
本発明によれば、被検者眼と装置との位置合わせを容易に行え、検査をスムーズに行える。また、装置の大型化を招くことなく、被検者に応じた顎受けの高さ調整を容易に行える。
【発明を実施するための形態】
【０００９】
以下、本発明の実施形態を図面に基づいて説明する。図１は本実施形態にかかる眼科装置１００の外観略図であり、図２は眼科装置の移動機構の構成図である。
【００１０】
眼科装置１００の基台１には、被検者の顔を固定する顔支持ユニット１０が設けられている。顔支持ユニット１０は基台１に固定された支基１１を持ち、支基１１に被検者の顎が載せられる顎受け１２が上下移動可能に設けられている。また、支基１１には、被検者の額を当接する額当て部材１４が取り付けられた逆Ｕ字状の額当て支柱１３が固定されている。額当て支柱１３には、被検者眼の高さを合わせる目安となるアイレベルマーク１５が記されている。
【００１１】
基台１上には、検査ユニット５が搭載された移動台３が、被検者眼に対して前後方向（Ｚ方向）及び左右方向（Ｘ方向）に摺動可能に設けられている。移動台３は、ジョイスティック４が傾倒されることにより、基台１上で摺動される。また、移動台３の内部には、検査ユニット５を上下方向（Ｙ方向）に移動させるＹ駆動部６と、検査ユニット５を左右方向（Ｘ方向）及び前後方向（Ｚ方向）に移動させるＸＺ駆動部７が搭載されている。Ｙ駆動部６及びＸＺ駆動部７は、モータ及びスライド機構からなる周知の移動機構により構成されている。Ｙ駆動部６及びＸＺ駆動部７により、検査ユニット５は被検者眼に対して三次元（ＸＹＺ）方向にそれぞれ移動可能にされている。
【００１２】
ジョイスティック４には、検査ユニット５を上下方向（Ｙ方向）に移動させる移動信号を入力する回転ノブ４ａが設けられている。移動台３の検者側には、検査ユニット５に配置された観察光学系６０（図４参照）で撮影された被検者の前眼部像が表示されるディスプレイ８が設けられている。ジョイスティック４の頂部に設けられた測定開始スイッチ４ｂが押されると、検眼光学系による測定や撮影等を開始するためのトリガ信号が発せられる。移動台３には、顎受け１２の上方向への移動を自動的に開始させるためのスイッチ９ａと、検者が手動で顎受け１２を上下に移動させるためのスイッチ９ｂ（ＵＰ／ＤＯＷＮスイッチ）とが設けられている。
【００１３】
なお、本実施形態では、検査ユニット５が搭載された移動台３がＸＺ方向に摺動される構成としたが、検査ユニット５がＸＺ駆動部７によってのみ、ＸＺ方向に移動される構成であっても良い。この場合、ジョイスティック４は、Ｘ方向及びＺ方向に検査ユニット５を移動させる信号を入力する構成とされる。
【００１４】
図３は、顎受け１２を電動で上下動させる顎受け移動機構２０の構成を示す概略断面図である。顎受け移動機構２０は、顎受けを上下方向に移動させる駆動源としてのパルスモータ２４を備える。支基１１には送りネジ２１が立設されており、これに螺合する雌ネジを持つ支柱２３が支基１１にガイドされて上下に移動可能に取り付けられている。支柱２３の上に顎受け１２が固定されている。送りネジ２１の下方にはギヤ２２が設けられている。ギヤ２２は、パルスモータ２４側のギヤに噛み合わされている。また、支柱２３には溝２５が形成されている。この溝２５と回転止め用のビス２６により支柱２３が回転するのを防止している。モータ２４の回転により送りネジ２１が回転され、これによって支柱２３と共に顎受け１２が上下移動される。支柱２３の下方には遮光板２７が取り付けられており、支基２０側には遮光板２７を検知するフォトセンサ２８が設けられている。フォトセンサ２８は、遮光板２７を検知することにより、顎受け１２が下限に下がったことを検知する。
【００１５】
また、顎受け１２の上面には、被検者の顎が顎受け１２の上面に当接又は近接したことを検知するセンサ２９が設けられている。センサ２９としては、圧力を感知するタッチセンサが使用され、被検者の顎が接触したことが検知される。また、センサ２９としては、１ｍｍ程度の距離に対象物が接近したことを検知する近接センサが使用される。近接センサは、受光した反射光の出力の大きさに基づき位置検出を行う光電センサ等の周知のものが利用可能である。
【００１６】
図４は、検査ユニット５内に設けられた光学系及び制御系の構成を説明する概略構成図である。検査光軸Ｌ１上には、対物レンズ５１、ビームスプリッタ５２、検査光学系３０が配置されている。検査光学系３０は、例えば、周知の眼屈折力測定光学系である。眼屈折力測定光学系は、測定光源からの測定光を被検者眼の眼底に投影する投影光学系と、眼底からの反射光を受光素子に受光する受光光学系と、を備え、受光素子により受光された眼底反射光に基づいて被検者眼の屈折力が測定される。眼底カメラの場合、検査光学系３０は眼底照明光学系、眼底撮影光学系を備える。なお、検査光学系３０は、被検者眼の視軸を安定させる固視標呈示光学系も備える。
【００１７】
また、検査ユニット５内には、被検者眼の角膜にリング指標を投影するための近赤外光を発するリング指標投影光学系４０と、角膜に無限遠指標を投影することにより被検者眼に対する作動距離方向のアライメント状態を検出するための近赤外光を発する作動距離指標投影光学系４１が、光軸Ｌ１を中心に左右対称に配置されている。なお、リング投影光学系４０は、眼Ｅの前眼部を照明する前眼部照明としても用いられる。
【００１８】
被検眼の前眼部を観察する観察光学系６０は、検査光学系３０の対物レンズ５１を共用し、ビームスプリッタ５２の反射方向に配置されたリレーレンズ６１、全反射ミラー６２、絞り６３、撮像レンズ６４、二次元の撮像素子６５を持つ。観察光学系６０の観察光軸は、検査光学系３０の光軸Ｌ１と同軸にされている。図７に示されるように、撮像素子６５により被検眼の前眼部が、高倍率で撮像される。また、撮像素子６５によって、指標投影光学系４０及び４１によって被検眼角膜に投影されたアライメント指標像が検出される。撮像素子６５により撮像された被検者の前眼部像は、ディスプレイ８に表示される。
【００１９】
制御部７０には、Ｙ駆動部６、ＸＺ駆動部７、ディスプレイ８、スイッチ９ａ、スイッチ９ｂ、回転ノブ４ａ、測定開始スイッチ４ｂ、顎受け移動機構２０のモータ２４、フォトセンサ２８、センサ２９、撮像素子６５、検査光学系３０、後述する誘導視標部５２の光源５４、各種のスイッチが配置されたスイッチ部７２、等が接続されている。制御部７０は、各光源、各駆動部及びディスプレイ８の動作を制御する。スイッチ部７２には、アライメントモードの選択スイッチ（マニュアルアライメントモードとオートアライメントモードを選択するスイッチ）、検査結果をプリンタから印字出力させるプリントスイッチ、装置の動作をリセットする信号を入力するリセットスイッチ、等が配置されている。
【００２０】
図１、２において、検査ユニット５の被検者側には、検査光学系３０及び観察光学系６０の光軸が通る検査窓５１が設けられている。そして、検査窓５１の左右には、被検者眼を検査窓５１の高さ位置に導くための視標が配置された誘導視標部５２が２箇所に設けられている。誘導視標部５２は、検査光軸Ｌ１とほぼ同じ高さで、検査光軸Ｌ１を挟んで左右両側に設けられている。なお、左右両眼を検査対象とする装置では、誘導視標部５２は左右両側の少なくとも一方に配置されていても良い。
【００２１】
図５、図６は誘導視標部５２の構成の説明図である。図５は、一方の誘導視標部５２を含む検査ユニット５のＡ−Ａ断面図（縦方向の断面図）である。図６は、誘導視標部５２を含む検査ユニット５のＢ−Ｂ断面図（横方向の断面図）である。誘導視標部５２は、被検者眼に視認させる視標として、可視光を発散する光源５４と、被検者が光源５４（視標）を視認できる範囲を制限する制限部材５３と、から構成される。例えば、光源５４からは緑色の光が発せれられる。本装置では、光源５４は検査ユニット５の被検者眼側の筐体面より奥側に位置するように配置され、制限部材５３は光源５４が配置された溝を形成するように横長の筒状に形成されている。光源５４から発せられた光が進行する上下方向及び左右方向の範囲は、制限部材５３の先端側の壁面で制限される。
【００２２】
制限部材５３により制限される範囲の設定を説明する。図５及び図６は、移動台３がＺ方向の最も検者側に位置され、移動台３に対して検査ユニット５が所定の初期位置（例えば、検査ユニット５が最も検者側の位置）に置かれた状態を示した図である。この条件で、被検者が額当て部材１４に額を当接したときに、被検者眼と検査ユニット５とのＺ方向の距離をＷとする。光源５４から出射された上下方向の光が制限部材５３により角度θ１の範囲で制限されたとき、距離Ｗで角度θ１の範囲が決定される上下方向の範囲ＤＹに被検者眼が位置すれば、被検者眼は光源５４を直接見ることができる。この範囲ＤＹは、好ましくは、観察光学系６０の撮像素子６５により撮像される上下範囲との関係で設定されている。例えば、検査光軸Ｌ１を中心に２０ｍｍ（±１０ｍｍ）の範囲であり、観察光学系６０の撮像素子６５で撮影される範囲に少なくとも眼の一部が入るように設定されている。アライメント開始時に、眼が範囲ＤＹに位置していれば、検査ユニット５が左右方向に移動されたときには、ディスプレイ８には少なくとも前眼部像の上下方向の一部が現れるようになり、検者は被検者眼を確認して検査ユニット５を上下方向の何れに移動すべきかを迷うことなく判断できる。なお、図２に示されるように、検査ユニット５のＹ方向の可動範囲ＤＡは、範囲ＤＹを含むように設定されている。これにより、検査ユニット５は移動限界に達することなく被検者眼の位置に追従可能にされる。
【００２３】
また、図６において、眼に対して距離Ｗの所定位置に検査ユニット５が位置された状態で、光源５４から出射された左右方向の光は角度θ２で制限されるとする。この角度θ２の範囲で、被検者が額当て部材１４に額を当接したときに、被検者眼が光源５４を直接見ることができる左右方向の範囲をＤＸとする。左右眼用の範囲ＤＸは、被検者眼の左右の眼幅（瞳孔間距離）ＰＤの個体差を考慮し、上下方向の範囲ＤＹよりも広く設定されている。範囲ＤＸは、少なくとも４０〜８０ｍｍの範囲の眼幅（瞳孔間距離）ＰＤを持つ被検者が光源５４を視標として確認可能に設定されている。
【００２４】
なお、誘導視標部５２の光源５４の代わりに、検査ユニット５の検査窓５１等と明確に区別され、誘導視標部５２の制限部材５３の中に注視する目標のマーク（視標）が形成されていても良い。例えば、緑色の円形のマークとして形成されていても良い。しかし、光を発する光源５４が使用されることが好ましい。特に、眼科装置は暗室で使用される場合も多くあり、光を発する光源５４であれば、暗室においても被検者は誘導視標部５２の視標を容易に視認できる。
【００２５】
以上のような構成を備える装置において、被検者眼と検査ユニット５との位置合わせを中心に説明する。始めに、図示を略す電源スイッチ、被検者眼の検査終了を示すプリントスイッチ又はリセットスイッチ等が押されると、これらのスイッチ信号は新たな被検者の検査を行うための初期化信号として入力される。制御部７０は、これらの所定の初期化信号が入力されると、Ｙ駆動部６及びＸＺ駆動部７の駆動を制御し、検査ユニット５を予め設定された基準位置（初期位置）に移動させる。検査ユニット５のＸ方向の基準位置は、検査光軸Ｌ１が左右の中央に置かれる位置に設定され、検査ユニット５のＺ方向の基準位置は、最も検者側の後方位置に設定されている。また、検査ユニット５のＹ方向の基準位置は、検査光軸Ｌ１が額当て支柱１３のアイレベルマーク１５の位置と略同じ高さであり、検査ユニット５の上下方向の可動範囲の中央位置に設定されている。図２において、検査ユニット５は基準位置に置かれており、基台１の上面から距離ＨＳの位置に検査光軸Ｌ１が位置している。このとき、検査ユニット５のＹ方向の可能範囲ＤＡは、誘導視標部５２により被検者眼が光源５４を直接見ることができる範囲ＤＹより広い範囲に設定されている。
【００２６】
また、リセットスイッチ等の初期化信号が入力されると、新たな被検者の検査に備えるために、制御部７０によりモータ２４が駆動され、顎受け１２が最も下方の位置に移動されると共に、誘導視標部５２の光源５４が点灯される。
【００２７】
検査に際して、検者は、被検者の額を額当て部材１４に当接させた状態で、２箇所の誘導視標部５２が持つ光源５４を直接確認できるように、被検者自身で顔を上下に移動させるように促す。なお、検者が付き添わない場合、所定の検査準備のスタートスイッチが押されることにより、音声ガイドが発生されるようにしても良い。
【００２８】
被検者が誘導視標部５２の光源５４を見えるように顔の位置を上下させて合わせると、被検者の眼の位置は、検査ユニット５の検査光軸を中心にして範囲ＤＹの中に位置するようになる。眼科装置が暗室に置かれている場合、緑色光を発する光源５４が使用されていれば、誘導視標部５２が持つ制限部材５３の開口が光源５４により照明されるので、被検者は制限部材５３の開口の位置を迷うことなく確認することができる。そして、被検者は顔を上下することにより、光源５４を視標として見ることができるようになる。
【００２９】
検者は、被検者が誘導視標部５２の光源５４を見えることを確認した後、顎受け１２を上昇させるために、スイッチ９ａを押す。制御部７０はスイッチ９ａからの信号を受信すると、顎受け移動機構２０のモータ２４を駆動させて、最下方に位置していた顎受け１２を上方向へと移動させる。顎受け１２が被検者の顎に接触又は所定の距離に近接したことがセンサ２９により検知されると、制御部７０は顎受け１２の移動を停止させる。これにより、被検者の顎が固定される。また、制御部７０はセンサ２９により顎位置が検知されると、誘導視標部５２の光源５４を消灯させる。検査開始前に、光源５４が消灯されることで、特に暗室での測定の場合に、誘導視標５２からの光束が測定または観察の妨げとなることが防止される。
【００３０】
なお、ここではスイッチ９ａ及びセンサ２９により、顎受け１２の移動及び停止が自動で行われる場合について述べているが、検者がスイッチ９ｂの操作によって顎受け１２の高さ位置の調節を手動で行うようにしても良い。また、光源５４を消灯させる信号としては、センサ２９の検知信号を利用する他、スイッチ９ａ又はスイッチ９ｂによる顎受け移動信号又は停止信号を利用しても良い。あるいは、検査ユニット５をＹ方向に移動させる回転ノブ４ａの入力信号をアライメント開始信号とし、これを光源５４の消灯信号として利用することもできる。アライメント開始信号には、スイッチ部７２に設けられた専用のスイッチ信号を利用する構成も含まれる。
【００３１】
顎受け１２に被検者の顎が固定された後、例えば、被検者の右眼を検査するために、検者はジョイスティック４を操作して移動台３と共に検査ユニット５を被検者の右眼側に移動させる。検査ユニット５が右眼側に移動されると、検査ユニット５の観察光学系６０が持つ撮像素子６５により前眼部像が撮像され、ディスプレイ８に前眼部像が現れるようになる。このとき、撮像素子６５では高倍率の前眼部像が撮像されるが、被検者眼の高さ方向は、検査光軸Ｌ１を中心にして範囲ＤＹに位置されているので、検査ユニット５が上下方向に大きく移動されなくても、図７（ａ）に示すように、少なくとも前眼部像ＥＭの一部がディスプレイ８に現れるようになる。また、検査ユニット５の上下方向（Ｙ方向）の位置は基準位置に置かれ、被検者眼の高さが誘導視標部５２により誘導されているので、検査ユニット５がＹ方向の移動限界に直ぐに達することなく、検査ユニット５のＹ方向の移動のみで、被検者眼と検査ユニット５のアライメントを行うことができる。また、検査ユニット５のＹ方向の移動範囲を大きくしなくて済み、装置の大型化を防止できる。なお、図７（ａ）において、ディスプレイ８の画面の中央には、レチクルマークＬＴが電気的に表示されている。
【００３２】
検者は、被検者眼の前眼部像ＥＭをディスプレイ８上で確認できれば、さらに検査ユニット５をＸＹＺ方向に移動させ、精密なアライメントを行う。検者は、前眼部像ＥＭの中心がレチクルマークＬＴに向かうように、ジョイスティック４を操作して検査ユニット５（移動台３）をＸ方向に移動させると共に、回転ノブ４ａを操作して検査ユニット５をＹ方向に移動させる。前眼部像ＥＭがレチクルマークＬＴに近づいてくると、図７（ｂ）に示すように、リング指標投影光学系４０により角膜に形成されるリング像Ｒが撮像素子６５に撮像され、ディスプレイ８の画面に現れるようになる。
【００３３】
アライメントモードスイッチにより、マニュアルアライメントモードが選択されている場合、検者は、リング像Ｒの中心とレチクルマークＬＴの中心とが一致するように、ジョイスティック４及び回転ノブ４ａの操作により検査ユニット５をＸＹ方向に移動させる。また、リング像Ｒのピントが合うように、ジョイスティック４の操作により検査ユニット５をＺ方向に移動させる。
【００３４】
アライメントモードスイッチにより、オートアライメントモードが選択されている場合、撮像素子６５で検出されるリング像Ｒに基づいてＸＹ方向のアライメント状態が検出される。そして、ＸＹ方向のアライメント状態の検出結果に基づき、制御部７０によりＹ駆動部６及びＸＺ駆動部７の駆動が制御され、リング像Ｒの中心とレチクルＬＴの中心が所定の許容範囲に入るように、検査ユニット５がＸＹ方向に移動される。また、作動距離指標投影光学系４１により形成される指標像Ｍが撮像素子６５により検出されるようになれば、指標像Ｍとリング像Ｒとに基づいてＺ方向のアライメント状態が検出される。そして、Ｚ方向のアライメント状態の検出結果に基づき、制御部７０によりＸＺ駆動部７の駆動が制御され、Ｚ方向のアライメント状態が所定の許容範囲に入るように、検査ユニット５がＺ方向に移動される。これにより、精密なアライメントが完了される。
【００３５】
精密なアライメント完了後、スイッチ４ｂが押されると（又はアライメント完了信号に基づいて自動的に測定開始のトリガ信号が入力されると）、検査光学系３０により測定が実行される。
【００３６】
右眼の検査終了後、もう片方の眼（左眼）の検査を行うために、検者はジョイスティック４の操作により、移動台３を左眼側の方向へ移動させる。このとき、右眼に対して左眼のＹ方向の位置が多少変していることもあるが、検査の初期段階で、被検者眼の高さが誘導視標部５２により誘導されているので、検査ユニット５がＹ方向の移動限界に達することなく、検査ユニット５をＹ方向に移動させてアライメントを行うことができる。顎受け１２を再度調整する必要が無いため、検査効率を落とすことなく、スムーズな検査が可能になる。
【図面の簡単な説明】
【００３７】
【図１】眼科装置の外観略図である。
【図２】眼科装置の移動機構の構成図である。
【図３】顎受け移動機構の概略断面図である。
【図４】光学系及び制御系の概略構成図である。
【図５】誘導視標部の構成の説明図である。
【図６】誘導視標部の構成の説明図である。
【図７】ディスプレイに表示された前眼部像の説明図である。
【符号の説明】
【００３８】
５  検査ユニット
６  Ｙ駆動部
７  ＸＺ駆動部
１２  顎受け
１４  額当て部材
２０  顎受け移動機構
２４  パルスモータ
２９  センサ
３０  検査光学系
５２  誘導視標部
５３  制限部材
５４  光源
６０  観察光学系
７０  制御部
１００  眼科装置
【図１】
2010200905.tif 000003
【図２】
2010200905.tif 000004
【図３】
2010200905.tif 000005
【図４】
2010200905.tif 000006
【図５】
2010200905.tif 000007
【図６】
2010200905.tif 000008
【図７】
2010200905.tif 000009